(57)【要約】【解決手段】光学機器は、対象物の像を形成する光学系と、対象物の像の倍率を変更する倍率変更機構と、目当て部材と、倍率変更機構による対象物の像の倍率を変更することに連動して目当て部材を移動させる目当て駆動機構と、からなる。
2019150472.tif 000002
【特許請求の範囲】
【請求項１】
対象物の像を形成する光学系と、
対象物の像の倍率を変更する倍率変更機構と、
目当て部材と、
前記倍率変更機構による対象物の像の倍率を変更することに連動して前記目当て部材を移動させる目当て駆動機構と、からなる光学機器。
【請求項２】
前記倍率変更機構は、前記光学系を移動させることにより対象物の像の倍率を変更する、請求項２に記載の光学機器。
【請求項３】
前記光学系は、複数の光学レンズから構成され、前記倍率変更機構は、前記複数の光学レンズの少なくとも１つを前記光学系の光軸方向に移動させることにより対象物の像の倍率を変更する、請求項１又は請求項２に記載の光学機器。
【請求項４】
前記複数の光学レンズは、接眼レンズ及びリレーレンズの少なくとも１つを含んでいる、請求項３に記載の光学機器。
【請求項５】
前記目当て駆動機構は、前記目当て部材を前記光軸方向に沿って移動させる、請求項３又は請求項４に記載の光学機器。
【請求項６】
前記目当て駆動機構は、前記倍率変更機構で変更された倍率により定まるアイレリーフ長さに対応するように前記目当て部材を移動させる、請求項１から請求項５のいずれか一項に記載の光学機器。
【請求項７】
前記倍率変更機構は、対象物の像の倍率を変更するために光軸方向まわりに回転動作が可能な操作部を有し、
前記目当て駆動機構は、前記操作部の回転動作を、前記目当て部材を前記光軸方向に移動させるための直線動作に変換する動作変換部を有する請求項５又は請求項６に記載の光学機器。
【請求項８】
前記倍率変更機構は、対象物の像の倍率を変更するための前記操作部と、
前記操作部が前記光軸方向まわりに回転することにより、前記複数の光学レンズの少なくとも１つを前記光軸方向に移動させる第１回転・直動変換部と、を有し、
前記目当て駆動機構は、前記操作部の回転により前記目当て部材を前記光軸方向に移動させる第２回転・直動変換部を有する、請求項５から請求項７のいずれか一項に記載の光学機器。
【請求項９】
前記第１回転・直動変換部は、
前記光軸方向と平行の第１制限溝を備える固定鏡筒と、
前記固定鏡筒の内側に配置されて前記操作部とともに回転し、かつ第１案内溝を備える案内環と、
前記光学レンズを保持しかつ前記案内環の内側に配置され、前記第１案内溝を貫通して前記第１制限溝に挿入される第１動作ピンを備える環状のレンズ保持部材と、を有し、
前記固定鏡筒に対する前記案内環の前記光軸方向まわりの回転により、前記第１動作ピンが前記第１案内溝及び前記第１制限溝にガイドされて前記レンズ保持部材を前記光軸方向に移動させる、請求項８に記載の光学機器。
【請求項１０】
前記第２回転・直動変換部は、
前記固定鏡筒に前記光軸方向と平行に設けられた第２制限溝と、
前記案内環に設けられた第２案内溝と、
前記目当て部材に設けられて前記第２制限溝を貫通して前記第２案内溝に挿入される第２動作ピンと、を有し、
前記固定鏡筒に対する前記案内環の回転により、前記第２動作ピンが前記第２案内溝及び前記第２制限溝にガイドされて前記目当て部材を前記光軸方向に移動させる、請求項９に記載の光学機器。
【請求項１１】
前記第１制限溝及び前記第２制限溝は、前記光軸方向と平行に連続する１つの制限溝として前記固定鏡筒に設けられる、請求項１０に記載の光学機器。
【請求項１２】
前記第１案内溝と前記第２案内溝とは形状が異なる、請求項１０又は請求項１１に記載の光学機器。
【請求項１３】
前記第２案内溝は、前記光軸方向と垂直な方向に形成された直線状の案内溝を含む、請求項１０から請求項１２のいずれか一項に記載の光学機器。
【請求項１４】
前記操作部は、前記固定鏡筒において、前記光軸方向まわりの周回方向に設けられた第３制限溝を貫通して前記案内環に固定された第３動作ピンを有し、
前記第３動作ピンが前記第３制限溝にガイドされる範囲において、前記案内環を前記固定鏡筒に対して回転可能である、請求項９から請求項１３のいずれか一項に記載の光学機器。
【請求項１５】
前記目当て部材は、前記光軸方向に相対的に移動可能な内側筒状体と外側筒状体とを備える、請求項３から請求項１４のいずれか一項に記載の光学機器。
【請求項１６】
前記内側筒状体と前記外側筒状体とはネジ結合している、請求項１５に記載の光学機器。
【請求項１７】
対象物の像を形成する光学系と、前記光学系の移動により対象物の像の倍率を変更する倍率変更機構と、目当て部材と、前記倍率変更機構による対象物の像の倍率を変更することに連動して前記目当て部材を移動させる目当て駆動機構と、をそれぞれ有し、連結部を介して互いに接続される第１の鏡筒と第２の鏡筒と、を備え、
前記第１の鏡筒及び前記第２の鏡筒に設けられた前記倍率変更機構の少なくも一つは対象物の像の倍率を変更するために光軸方向まわりに回転動作が可能な操作部を含み、
対象物の像の倍率を変更する操作に基づいて前記第１の鏡筒及び前記第２の鏡筒の目当て部材を連動して移動させる接続部材を有する、双眼鏡。
【請求項１８】
前記接続部材は、前記第1の鏡筒及び前記第２の鏡筒のそれぞれにおける倍率変更機構に接続される、請求項１７に記載の双眼境。
【請求項１９】
前記倍率変換機構は、前記操作部が前記光軸方向まわりに回転することにより、前記光学系を前記光軸方向に移動させる第１回転・直動変換部を有し、
前記目当て駆動機構は、前記操作部の回転により前記目当て部材を前記光軸方向に移動させる第２回転・直動変換部を有し、
前記第１回転・直動変換部は、
固定鏡筒と、
前記固定鏡筒の内側に配置されて前記操作部とともに回転する案内環と、
前記光学系を保持し前記案内環の内側に配置される光学系保持部材と、を有し、
前記接続部材は、前記第１の鏡筒及び前記第２の鏡筒のそれぞれにおける前記案内環に接続され、
前記固定鏡筒に対する前記案内環の光軸方向まわりの回転により前記第１の鏡筒及び前記第２の鏡筒のそれぞれにおける前記光学系保持部材を光軸方向に移動さるとともに、前記第１の鏡筒及び前記第２の鏡筒のそれぞれにおける前記目当て部材を連動して光軸方向に移動させる、請求項１７又は請求項１８に記載の双眼境。
【請求項２０】
前記接続部材は、紐状又は帯状に形成された金属製の接続部材であり、前記接続部材の長手方向の両端部のそれぞれは、
前記第１の鏡筒及び前記第２の鏡筒の前記案内環の外周に沿って巻き付けられて固定される、請求項１９に記載の双眼鏡。
【請求項２１】
対象物の像を形成する光学系と、目当て部材と、前記光学系の移動により対象物の像の倍率を変更することに連動して前記目当て部材を移動させる目当て駆動機構と、をそれぞれ備え、連結部を介して互いに接続される第１の鏡筒と第２の鏡筒と、
前記第１の鏡筒及び前記第２の鏡筒との間に設けられ、対象物の像の倍率を変更するために前記光学系の光軸方向まわりに回転動作が可能な操作部を有する倍率変更機構と、
対象物の像の倍率を変更する操作に基づいて前記第１の鏡筒及び前記第２の鏡筒の目当て部材を連動して移動させる接続部材と、を有する、双眼鏡。
【請求項２２】
目当て部材と、
倍率変更機構により対象物の像の倍率を変更することに連動して前記目当て部材を移動させる目当て駆動機構と、を有する、目当て構造。
【請求項２３】
目当て部材と、
対象物の像の倍率の変更を行う倍率変更機構と、
前記倍率変更機構により対象物の像の倍率を変更することに連動して前記目当て部材を移動させる目当て駆動機構と、を有する、目当て構造。
【請求項２４】
目当て部材を移動させる方法であって、
対象物の像の倍率を変更することに連動して前記目当て部材を移動させることを含む、目当て部材の移動方法。
【請求項２５】
目当て部材を移動させる方法であって、
光学系の倍率を変更することに連動して前記目当て部材を移動させることを含む、目当て部材の移動方法。
【請求項２６】
対象物の像の倍率を指定するステップと、指定された倍率に基づいて目当ての位置を決定するステップと、決定された位置に目当てを移動させるステップとを含む、目当て部材の移動方法。
【発明の詳細な説明】
【技術分野】
【０００１】
本発明は、光学機器、双眼鏡、目当て構造、及び目当て部材の移動方法に関する。
【背景技術】
【０００２】
双眼鏡、望遠鏡等の光学機器には、接眼レンズを保持する筒状部材に目当て部材が設けられる。目当て部材は、観察者が接眼レンズを覗く際に、例えば観察者が裸眼の場合には目の周囲の顔面に当接され、観察者が眼鏡を装着している場合には眼鏡の前面に当接される。【０００３】
目当て部材は、光学機器の光軸方向に移動可能である。目当て部材を光軸方向に移動させることにより、観察者が接眼レンズを覗く場合の眼の位置をアイポイントに合わせることが可能である。例えば、特許文献１に記載の双眼鏡は、目当て部材が左右の鏡筒に設けられ、この目当てを移動させる専用の操作部によって左右の目当て部材が連動して光軸方向に移動する構成である。
【先行技術文献】
【特許文献】
【０００４】
【特許文献１】特開２００５−０１７７５９号公報
【発明の概要】
【０００５】
本発明の第１の態様では、対象物の像を形成する光学系と、対象物の像の倍率を変更する倍率変更機構と、目当て部材と、倍率変更機構による対象物の像の倍率を変更することに連動して目当て部材を移動させる目当て駆動機構と、からなる光学機器が提供される。
【０００６】
本発明の第２の態様では、対象物の像を形成する光学系と、光学系の移動により対象物の像の倍率を変更する倍率変更機構と、目当て部材と、倍率変更機構による対象物の像の倍率を変更することに連動して目当て部材を移動させる目当て駆動機構と、をそれぞれ有し、連結部を介して互いに接続される第１の鏡筒と第２の鏡筒と、を備え、第１の鏡筒及び第２の鏡筒に設けられた倍率変更機構の少なくも一つは対象物の像の倍率を変更するために光軸方向まわりに回転動作が可能な操作部を含み、対象物の像の倍率を変更する操作に基づいて第１の鏡筒及び第２の鏡筒の目当て部材を連動して移動させる接続部材を有する、双眼鏡が提供される。
【０００７】
本発明の第３の態様では、対象物の像を形成する光学系と、目当て部材と、光学系の移動により対象物の像の倍率を変更することに連動して目当て部材を移動させる目当て駆動機構と、をそれぞれ備え、連結部を介して互いに接続される第１の鏡筒と第２の鏡筒と、第１の鏡筒及び第２の鏡筒との間に設けられ、対象物の像の倍率を変更するために光学系の光軸方向まわりに回転動作が可能な操作部を有する倍率変更機構と、対象物の像の倍率を変更する操作に基づいて第１の鏡筒及び第２の鏡筒の目当て部材を連動して移動させる接続部材と、を有する、双眼鏡が提供される。
【０００８】
本発明の第４の態様では、目当て部材と、倍率変更機構により対象物の像の倍率を変更することに連動して前記目当て部材を移動させる目当て駆動機構と、を有する、目当て構造が提供される。
【０００９】
本発明の第５の態様では、目当て部材と、対象物の像の倍率の変更を行う倍率変更機構と、倍率変更機構により対象物の像の倍率を変更することに連動して目当て部材を移動させる目当て駆動機構と、を有する、目当て構造が提供される。
【００１０】
本発明の第６の態様では、目当て部材を移動させる方法であって、対象物の像の倍率を変更することに連動して前記目当て部材を移動させることを含む、目当て部材の移動方法が提供される。
【００１１】
本発明の第７の態様では、目当て部材を移動させる方法であって、光学系の倍率を変更することに連動して前記目当て部材を移動させることを含む、目当て部材の移動方法が提供される。
【００１２】
本発明の第８の態様では、対象物の像の倍率を指定するステップと、指定された倍率に基づいて目当ての位置を決定するステップと、決定された位置に目当てを移動させるステップとを含む、目当て部材の移動方法が提供される。
【図面の簡単な説明】
【００１３】
【図１】第１実施形態に係る目当て構造の一例を示す図である。
【図２】第１実施形態に係る目当て構造の一例を示す図である。
【図３】第１実施形態に係る本体部の一例を示す分解斜視図である。
【図４】（Ａ）及び（Ｂ）は、固定鏡筒の一例を示す斜視図である。
【図５】固定鏡筒の他の例を示す斜視図である。
【図６】（Ａ）及び（Ｂ）は、第１実施形態に係る案内環の一例を示す斜視図である。
【図７】前側レンズ保持部材の一例を示し、（Ａ）は斜視図、（Ｂ）は断面図である。
【図８】操作リングの一例を示し、（Ａ）は斜視図、（Ｂ）は断面図である。
【図９】（Ａ）の斜視図及び（Ｂ）の断面図は目当て部材の一例を示し、（Ｃ）の斜視図及び（Ｄ）の断面図は目当て部材の他の例を示す。
【図１０】本体部において、制限溝、案内溝、及び孔部と、動作ピン及びズーム連動ピンとの位置関係を模式的に示す分解図である。
【図１１】本体部において、制限溝、案内溝、及び孔部と、動作ピン及びズーム連動ピンとの位置関係を模式的に示す分解図である。
【図１２】本体部において、制限溝、案内溝、及び孔部と、動作ピン及びズーム連動ピンとの位置関係を模式的に示す分解図である。
【図１３】（Ａ）から（Ｃ）は、目当て部材の目当てが光軸方向に移動する状態を示す図である。
【図１４】第２実施形態に係る単眼鏡及び目当て構造の一例を示す図である。
【図１５】第２実施形態に係る双眼鏡の一例を示す図である。
【図１６】第３実施形態に係る双眼鏡を光軸方向から見た場合の一例を示す図である。
【図１７】案内環の一例を示す図である。
【図１８】接続部材を介した２つの案内環の動作を示す図である。
【図１９】第４実施形態に係る目当て構造の一例を示す図である。
【図２０】第５実施形態に係る目当て構造の一例を示す図である。
【図２１】第６実施形態に係る顕微鏡の一例を示す図である。
【発明を実施するための形態】
【００１４】
上記した特許文献１に記載された目当て構造は、光学系の光軸方向に目当て部材が移動可能であるが、その目当て部材の移動が倍率の変更と無関係に独立して行われている。従って、倍率変更機構により対象物の像の倍率を変更するごとに、その倍率において適切な位置まで目当て部材を移動させる必要があり、使用者にとって目当て部材の位置の調整が面倒であり、使い勝手がよくない。本実施形態においては、対象物の像の倍率の変更、あるいは光学系の倍率を変更することに連動して目当て部材を移動させ、使用者により目当て部材の位置の調整を不要あるいは容易化することにより利便性を向上させることが可能な目当て構造を提供することを目的としている。
【００１５】
以下、本発明の各実施形態について図面を参照しながら説明する。ただし、本発明は以下に説明する形態に限定されない。また、図面においては実施形態を説明するため、一部分を大きく又は強調して記載するなど適宜縮尺を変更して表現している。また、各図においてはＸＹＺ座標系を適宜用いて方向を説明する。Ｙ方向は、光軸方向であり、Ｚ方向は上下方向又は鉛直方向である。Ｘ方向、Ｙ方向及びＺ方向のそれぞれは、適宜、矢印の指す方向が＋方向（例えば、＋Ｘ方向）であり、その反対方向が−方向（例えば−Ｘ方向）であるとして説明する。
【００１６】
［第１実施形態］
図１及び図２は、第１実施形態に係る目当て構造１００の一例を示す図である。第１実施形態において、目当て構造１００は、光学機器としての単眼鏡５０に設けられている。単眼鏡５０の使用時において、例えば、上下方向はＺ方向であり、＋Ｚ方向が上方向、−Ｚ方向が下方向である。また、単眼鏡５０の使用時において、左右方向はＸ方向であり、左方向が−Ｘ方向、右方向が＋Ｘ方向である。単眼鏡５０は、図１及び図２に示すように、本体部ＢＤと、光学系ＯＳとを有する。図３は、本体部ＢＤの一例を示す分解斜視図である。なお、図３においては、後述する固定鏡筒１において光学系ＯＳを保持している部分を省略して表している。
【００１７】
図１から図３に示すように、本体部ＢＤは、−Ｙ側に目当て構造１００を有する。目当て構造１００は、倍率変更機構３０と、目当て駆動機構４０とを有する。目当て駆動機構４０は、倍率変更機構３０により対象物の像の倍率を変更すること、又は倍率変更機構３０により光学系ＯＳの倍率を変更することに連動して、後述する目当て部材６０を移動させる。本実施形態では、目当て構造１００に倍率変更機構３０を含む構成を示しているが、この形態に限定されず、例えば、倍率変更機構３０が目当て構造１００とは別に本体部ＢＤに備える構成であってもよい。
【００１８】
本実施形態では、倍率変更機構３０を構成する部材と、目当て駆動機構４０を構成する部材との一部の部材が供用されている構成を示している。倍率変更機構３０及び目当て駆動機構４０は、固定鏡筒１と、案内環２と、前側レンズ保持部材３と、後側レンズ保持部材５と、操作リング７と、目当て部材６０（目当て環９、目当て１８）とを備えている。倍率変更機構３０及び目当て駆動機構４０（本体部ＢＤ）を構成する各部材は、それぞれ樹脂又は金属等により円筒状又は環状に形成される。倍率変更機構３０及び目当て駆動機構４０を構成する部材について説明する。
【００１９】
図４は、固定鏡筒１の一例を示す斜視図である。図４に示す固定鏡筒１は、図３と同様に、光学系ＯＳを保持している部分を省略して表している。図４（Ａ）と図４（Ｂ）とでは見る向きが異なっている。図４（Ａ）及び（Ｂ）に示すように、固定鏡筒１は、制限溝（第１制限溝）１１、制限溝（第２制限溝）１２、及び制限溝（第３制限溝）１３を有する。制限溝１１は、光軸ＡＸを中心とした周方向に沿って形成される。制限溝１１の長さは、例えば、光軸ＡＸを中心とした一周の約３分の１程度に設けられるが、この長さに限定されず、任意に設定可能である。制限溝１１の長さは、操作リング７の光軸ＡＸを中心とした回転量を規定する。制限溝１１は、後述する操作リング７が光軸ＡＸ方向に移動するのを規制する。
【００２０】
制限溝１２は、制限溝１１に対して周方向の反対側に設けられる。制限溝１２は、光軸ＡＸ方向（Ｙ方向）に沿って形成される。制限溝１２のＹ方向の長さは任意に設定可能である。制限溝１２は、前側レンズ保持部材３及び後側レンズ保持部材５が光軸ＡＸ方向に移動するのを許容しつつ、光軸ＡＸまわりに回転するのを規制する。１つの制限溝１２は、前側レンズ保持部材３と後側レンズ保持部材５とで供用される。ただし、１つの制限溝１２を前側レンズ保持部材３用の制限溝と、後側レンズ保持部材５用の制限溝とで別に設けられる構成であってもよい。
【００２１】
制限溝１３は、制限溝１１に対して周方向の反対側に設けられる。制限溝１３は、光軸ＡＸ方向（Ｙ方向）に沿って形成される。制限溝１３のＹ方向の長さは任意に設定可能である。制限溝１３は、目当て環９が光軸ＡＸ方向に移動するのを許容しつつ、光軸ＡＸまわりに回転するのを規制する。制限溝１３は、制限溝１２に対して−Ｙ側（後ろ側又は目当て側）に設けられる。制限溝１２は、制限溝１３に対してＹ方向が長く、かつ幅（光軸ＡＸまわりの周方向における幅）が広い。制限溝１２と制限溝１３とは、Ｙ方向に並んだ状態で配置されている。なお、制限溝１２と制限溝１３の幅は同じでもよく、また、Ｙ方向に並んだ状態で配置されることに限定されない。なお、制限溝１２と制限溝１３とを別に設けることに限定されない。
【００２２】
図５は、固定鏡筒の他の例を示す斜視図である。図５に示す固定鏡筒１Ａのように、制限溝１２Ａと制限溝１３Ａとが光軸ＡＸ方向に平行に連続する１つの制限溝として設けられた構成であってもよい。この場合、制限溝１２Ａと制限溝１３Ａとは、それぞれ他方の制限溝と近接している側の端部が接続された構成である。また、制限溝１２Ａと制限溝１３Ａとは、Ｙ方向に沿って設けられた１つの長穴である。なお、固定鏡筒１Ａにおいて、制限溝１１は、図４に示す固定鏡筒１と同様である。
【００２３】
図６は、案内環２の一例を示す斜視図である。図６（Ａ）と図６（Ｂ）とでは見る向きが異なっている。図６（Ａ）及び（Ｂ）に示すように、案内環２は、案内溝（第１案内溝）１４と、案内溝（第２案内溝）１５と、孔部１６と、案内溝（第３案内溝）１７とを有する。また、案内環２は、固定鏡筒１の内側の−Ｙ側（後ろ側又は目当て側）に挿入される。案内環２のＹ方向の長さは、固定鏡筒１のＹ方向の長さより短い。案内環２は、固定鏡筒１の制限溝１１、１２、１３に対応する領域と重なるように、固定鏡筒１に挿入される。案内環２の外径は固定鏡筒１の内径に対してほぼ等しい又はわずかに小さく設定されており、固定鏡筒１の内周面と、案内環２の外周面とは摺動可能である。案内環２は、固定鏡筒１に対して光軸ＡＸまわりに回転可能である。
【００２４】
案内溝１４は、最も＋Ｙ側（前側又は目当ての反対側）に設けられる。案内溝１４は、光軸ＡＸ方向（Ｙ方向）及び光軸ＡＸまわりの周方向に対して傾いた状態で設けられる。なお、案内溝１４の傾きは一定であってもよいし、一定でなくてもよい。案内溝１４は、Ｙ方向において、後述する動作ピン４の可動範囲をカバーするように溝が形成され、固定鏡筒１の制限溝１２と協働して前側レンズ保持部材３のＹ方向の位置を規定する。案内溝１４の傾きは、固定鏡筒１と案内環２とを相対的に回転させた場合に、その回転量に対する前側レンズ保持部材３のＹ方向への移動量を規定する。
【００２５】
案内溝１５は、案内溝１４に対して−Ｙ側（後ろ側又は目当て側）に設けられる。案内溝１５は、光軸ＡＸ方向（Ｙ方向）及び光軸ＡＸまわりの周方向に対して傾いた状態で設けられる。なお、案内溝１５の傾きは一定であってもよいし、一定でなくてもよい。案内溝１５は、案内溝１４と反対の方向に傾いた状態で形成される。案内溝１５は、光軸ＡＸに垂直な面に対して案内溝１４と対称であってもよいし、対称でなくてもよい。案内溝１５は、Ｙ方向において、後述する動作ピン６の可動範囲をカバーするように溝が形成されている。制限溝１７は、Ｙ方向において、後述する動作ピン１０の可動範囲をカバーするように溝が形成されている。案内溝１５は、固定鏡筒１の制限溝１２と協働して後側レンズ保持部材５のＹ方向の位置を規定する。案内溝１５の傾きは、固定鏡筒１と案内環２とを相対的に回転させた場合に、その回転量に対する後側レンズ保持部材５のＹ方向への移動量を規定する。
【００２６】
固定鏡筒１と案内環２とを相対的に回転させた場合、この案内溝１４、１５によって前側レンズ保持部材３と後側レンズ保持部材５とは近接する方向、又は離間する方向にそれぞれ移動することになる。なお、案内溝１４、１５のいずれか一方が、光軸ＡＸ方向と垂直な方向（すなわち光軸ＡＸまわりの周方向）に形成された直線状の案内溝であってもよい。この場合、直線状の案内溝に案内される前側レンズ保持部材３又は後側レンズ保持部材５は、固定鏡筒１と案内環２とを相対的に回転させた場合であってもＹ方向（光軸ＡＸ方向）には移動しない。
【００２７】
孔部１６は、案内溝１４、１５、及び後述する案内溝１７に対して、光軸ＡＸまわりの周方向の反対側に設けられるが、この位置に限定されない。孔部１６が設けられる位置は、固定鏡筒１の制限溝１１に重なる範囲に設定される。孔部１６は、後述するズーム連動ピン８を固定する。このズーム連動ピン８を介して操作リング７の回転を案内環２に伝達する。ズーム連動ピン８は、接着剤等により孔部１６に固定されてもよい。
【００２８】
案内溝１７は、案内溝１５に対して−Ｙ側（後ろ側又は目当て側）に設けられる。案内溝１７は、案内環２の−Ｙ側（後ろ側の端部部分）に設けられる。案内溝１７は、案内環２の周面において湾曲した形状に設けられる。本実施形態では、案内溝１７が湾曲した形状に設けられているが、この形態に限定されない。例えば、案内溝１７は、案内溝１４、１５のような、光軸ＡＸ方向（Ｙ方向）及び光軸ＡＸまわりの周方向に対して傾いた状態で設けられてもよい。案内溝１７は、固定鏡筒１の制限溝１３と協働して後述する目当て部材１８のＹ方向の位置を規定する。
【００２９】
案内溝１７は、Ｙ方向において、後述する動作ピン１０の可動範囲をカバーするように溝が形成されている。制限溝１３は、Ｙ方向において、後述する動作ピン１０の可動範囲をカバーするように溝が形成されている。制限溝１３と案内溝１７は案内溝１７の曲率（光軸ＡＸまわりの周方向の傾き）は、固定鏡筒１と案内環２とを相対的に回転させた場合に、その回転量に対する目当て部材１８のＹ方向への移動量を規定する。固定鏡筒１と案内環２とを相対的に回転させた場合、案内溝１７によって目当て部材１８が＋Ｙ方向（前側の方向）又は−Ｙ方向（後ろ側の方向）に移動することになる。
【００３０】
図７は、前側レンズ保持部材３の一例を示す図である。図７（Ａ）は斜視図、（Ｂ）は断面図を示している。図７（Ａ）及び（Ｂ）に示すように、前側レンズ保持部材３は、円筒状又は円環状である。前側レンズ保持部材３は、内周面において接眼レンズ５３の１つである前側レンズ５４を保持する。本実施形態では、前側レンズ５４が凹レンズである例を示しているが、凹レンズに限定されず、例えば、凸レンズ又は平行平板であってもよい。
【００３１】
前側レンズ保持部材３の内周面には、前側レンズ５４を保持可能な溝が光軸ＡＸまわりの周方向に設けられている。この溝に前側レンズ５４を嵌め入れることにより、前側レンズ５４は、前側レンズ保持部材３に保持される。前側レンズ保持部材３の内径は、前側レンズ５４の外径に応じて適宜設定される。なお、前側レンズ保持部材３に前側レンズ５４を保持させる構成は任意であり、例えば接着剤又は固定ネジなどを用いて前側レンズ５４を保持する構成であってもよい。
【００３２】
前側レンズ保持部材３は、案内環２に挿入される。前側レンズ保持部材３の外径は案内環２の内径に対してほぼ等しい又はわずかに小さく設定されており、案内環２の内周面と、前側レンズ保持部材３の外周面とは摺動可能である。前側レンズ保持部材３は、案内環２に対して光軸ＡＸ方向に移動可能である。前側レンズ保持部材３は、動作ピン（第１動作ピン）４を固定するネジ穴３ａを有する。ネジ穴３ａに固定された動作ピン４は、前側レンズ保持部材３の外周面から突出した状態で保持される。動作ピン４は、案内環２の案内溝１４及び固定鏡筒１の制限溝１２に挿入可能な外径に設定されている。前側レンズ保持部材３が案内環２内に配置された状態では、動作ピン４は、案内溝１４を貫通し、かつ制限溝１２に挿入される。
【００３３】
後側レンズ保持部材５は、前側レンズ保持部材３と同様に、円筒状又は円環状である。後側レンズ保持部材５については、図１から図３を参照し、斜視図等を省略している。後側レンズ保持部材５は、内周面において接眼レンズ５３の１つである後側レンズ５５を保持する。本実施形態では、後側レンズ５５が凸レンズである例を示しているが、凸レンズに限定されず、例えば、凹レンズ又は平行平板であってもよい。
【００３４】
後側レンズ保持部材５の内周面には、後側レンズ５５を保持可能な溝が光軸ＡＸまわりの周方向に設けられている。この溝に後側レンズ５５を嵌め入れることにより、後側レンズ５５は、後側レンズ保持部材５に保持される。後側レンズ保持部材５の内径は、後側レンズ５５の外径に応じて適宜設定される。なお、後側レンズ保持部材５に後側レンズ５５を保持させる構成は任意であり、例えば接着剤又は固定ネジなどを用いて後側レンズ５５を保持する構成であってもよい。
【００３５】
後側レンズ保持部材５は、案内環２に挿入される。後側レンズ保持部材５の外径は案内環２の内径に対してほぼ等しい又はわずかに小さく設定されており、案内環２の内周面と、後側レンズ保持部材５の外周面とは摺動可能である。後側レンズ保持部材５は、案内環２に対して光軸ＡＸ方向に移動可能である。後側レンズ保持部材５の外径は、前側レンズ保持部材３の外径と同一であるが、互いに異なっていてもよい。
【００３６】
後側レンズ保持部材５は、動作ピン（第２動作ピン）６を固定するネジ穴５ａを有する。動作ピン６は、上記した動作ピン４と同一形状であってもよいし、異なる形状であってもよい。ネジ穴５ａに固定された動作ピン６は、後側レンズ保持部材５の外周面から突出した状態で保持される。動作ピン６は、案内環２の案内溝１５及び固定鏡筒１の制限溝１２に挿入可能な外径に設定されている。後側レンズ保持部材５が案内環２内に配置された状態では、動作ピン６は、案内溝１５を貫通し、かつ制限溝１２に挿入される。また、後側レンズ保持部材５の＋Ｙ側には視野絞り２０が設けられている。視野絞り２０は、後側レンズ保持部材５とともに光軸ＡＸ方向に移動する。なお、視野絞り２０は、後側レンズ保持部材５に設けられることに代えて、例えば、光学系ＯＳの光路中の一部に設けられてもよい。
【００３７】
前側レンズ保持部材３及び後側レンズ保持部材５は、前側レンズ５４及び後側レンズ５５の主平面が光軸ＡＸと垂直となるように、案内環２の内側に保持される。上記したように、この状態では、動作ピン４が制限溝１２を貫通し、かつ案内溝１４に挿入され、動作ピン６が制限溝１５を貫通し、かつ案内溝１２に挿入されている。動作ピン４及び動作ピン６の先端は、固定鏡筒１から外側に突出しないような高さ（長さ、突出量）に設定されている。また、固定鏡筒１の外周には円筒状のカバーＣが取り付けられており、このカバーＣに、動作ピン４及び動作ピン６の先端が接触しないので、動作ピン４及び動作ピン６の円滑な動作を確保している。
【００３８】
図８は、操作リング７の一例を示す図である。図８（Ａ）は斜視図であり、図８（Ｂ）は断面図を示している。図８（Ａ）及び（Ｂ）に示すように、操作リング７は、環状凹部７ａと、取付孔７ｂと、円筒カバー７ｃとを有する。操作リング７は、固定鏡筒１の−Ｙ側において、固定鏡筒１から外側に突出した状態で設けられる。操作リング７の内径は、固定鏡筒１の外径と同一又はわずかに大きく設定されている。従って、操作リング７は、固定鏡筒１の外周面を摺動可能であり、固定鏡筒１に対して光軸ＡＸまわりの周方向に回転可能である。
【００３９】
環状凹部７ａは、操作リング７の外周面において光軸ＡＸまわりの周方向に設けられる。取付孔７ｂは、環状凹部７ａの一部に、操作リング７の内外を貫通するように設けられる。取付孔７ｂには、ズーム連動ピン８がネジ結合等により固定される。ズーム連動ピン８は、頭部が環状凹部７ａから外側に突出しないように取付孔７ｂに取り付けられている。
【００４０】
ズーム連動ピン８が取付孔７ｂに取り付けられた状態では、ズーム連動ピン８の先端部８ａは操作リング７の内側に突出している。先端部８ａは、固定鏡筒１の制限溝１１を貫通し、かつ案内環２の孔部１６に挿入される。操作リング７は、例えば、使用者が手で持って操作するための操作部分である。使用者等により操作リング７を回転させると、ズーム連動ピン８を介して案内環２を回転させることができる。円筒カバー７ｃは、ゴム又は軟質の樹脂製で環状に設けられており、環状凹部７ａに装着される。円筒カバー７ｃは、使用者等が操作リング７を手で操作するときに滑りを防止する。
【００４１】
図９は、目当て部材６０の一例を示す図である。図９（Ａ）は目当て環９の斜視図であり、図９（Ｂ）は目当て環９及び目当て１８の断面図を示している。図９（Ａ）及び（Ｂ）に示すように、目当て部材６０は、目当て環９（内側筒状体）と目当て１８（外側筒状体）とを有する。なお、図３では目当て部材６０のうち目当て１８を省略している。目当て環９の内径は、固定鏡筒１の外径と同一又はわずかに大きく設定されている。従って、目当て環９は、固定鏡筒１の外周面を摺動可能であり、固定鏡筒１に対して光軸ＡＸ方向に移動可能である。
【００４２】
目当て環９は、固定鏡筒１の−Ｙ側の端部から、−Ｙ側に突出した状態で設けられる。目当て環９は、動作ピン（第３動作ピン）１０を取り付ける取付孔９ａを有する。取付孔９ａは、目当て環９の内外を貫通するように設けられる。取付孔９ａには、動作ピン１０がネジ結合等により固定される。動作ピン１０は、頭部が目当て環９の外周面から外側に突出しないように取付孔９ａに取り付けられている。
【００４３】
動作ピン１０が取付孔９ａに取り付けられた状態では、動作ピン１０の先端部１０ａは目当て環９の内側に突出している。先端部１０ａは、固定鏡筒１の制限溝１３を貫通し、かつ案内環２の案内溝１７に挿入される。動作ピン１０は、案内環２が回転することにより、固定鏡筒１の制限溝１３で光軸ＡＸまわりの周方向に回転が規制された状態で、案内溝１７に案内されることにより光軸ＡＸ方向に移動する。従って、目当て環９は、動作ピン１０を介して、案内環２が光軸ＡＸまわりの周方向に回転することにより、光軸ＡＸ方向に移動することになる。目当て１８は、目当て環９を挿入可能である。目当て１８は、目当て環９の−Ｙ側から目当て環９を被せるように取り付けられる。目当て１８は、−Ｙ側の端部が使用者の顔面又は眼鏡等に当接する部分であり、例えば樹脂等により形成されている。この構成では、目当て１８を目当て環９に対して光軸ＡＸ方向にスライドさせることにより、目当て１８は目当て環９に対して光軸ＡＸ方向に移動する。
【００４４】
また、図９（Ｃ）は目当て環９の他の例を示す斜視図であり、図９（Ｄ）は他の例に係る目当て環９及び目当て１８の断面図を示している。図９（Ｃ）、（Ｄ）に示すように、目当て環９の外周にネジ部９ｂが設けられ、目当て１８の内周にネジ部１８ａが設けられてもよい。この場合、目当て環９と目当て１８とは、ネジ部９ｂとネジ部１８ａとのネジ結合により取り付けられており、目当て１８を目当て環９から取り外すことが可能である。また、目当て環９と目当て１８とがネジ結合しているので、目当て１８を目当て環９に対して回転させることにより、目当て１８は目当て環９に対して光軸ＡＸ方向に移動する。
【００４５】
また、図１及び図２に示すように、光学系ＯＳは、対物レンズ５１、正立プリズム５２及び接眼レンズ５３を含む。対物レンズ５１には観察対象である物体からの光が入射する。対物レンズ５１は、固定鏡筒１の＋Ｙ側の端部に配置され、観察対象からの光を正立プリズム５２に導く。正立プリズム５２は、固定鏡筒１のＹ方向の中央部分に配置され、対物レンズ５１からの光を接眼レンズ５３に導く。
【００４６】
接眼レンズ５３は、前側レンズ５４、後側レンズ５５、及び固定レンズ５６を含む。前側レンズ５４は、上記したように前側レンズ保持部材３に配置され、動作ピン４により光軸ＡＸ方向の位置が固定される。後側レンズ５５は、上記したように後側レンズ保持部材５に配置され、動作ピン６により光軸ＡＸ方向の位置が固定される。固定レンズ５６は、固定鏡筒１の−Ｙ側に固定される。前側レンズ５４及び後側レンズ５５は、光学系ＯＳの光軸ＡＸ方向に移動可能である。倍率変更機構３０は、前側レンズ５４及び後側レンズ５５を光軸ＡＸ方向に移動させることにより、対象物の像の倍率、あるいは光学系ＯＳの倍率を変更する。
【００４７】
目当て構造１００は、前側レンズ５４及び後側レンズ５５を光軸ＡＸ方向に移動させる倍率変更機構３０と、目当て部材６０を光軸ＡＸ方向に移動させる目当て駆動機構４０とを有している。倍率変更機構３０は、上記した固定鏡筒１と、案内環２と、前側レンズ保持部材３と、後側レンズ保持部材５と、操作リング７とを含む。目当て駆動機構４０は、上記した固定鏡筒１と、案内環２と、目当て部材６０とを含む。倍率変更機構３０と目当て駆動機構４０とは、固定鏡筒１と案内環２とを共用している。以下、倍率変更機構３０及び目当て駆動機構４０の動作について説明する。
【００４８】
図１０から図１２は、倍率変更機構３０及び目当て駆動機構４０において、制限溝１１、１２、１３と、案内溝１４、１５、１７と、孔部１６と、動作ピン４、６、１０と、ズーム連動ピン８との位置関係を模式的に示す分解図である。図１０は、前側レンズ５４及び後側レンズ５５のそれぞれが光軸ＡＸ方向のほぼ中央に配置された状態を示している。この状態から、例えば操作リング７を光軸ＡＸまわりの一方の方向である第１回転方向に回転させることにより、図１１に示すように、ズーム連動ピン８の先端部８ａが制限溝１１に沿って図１１の上方向に移動する。
【００４９】
先端部８ａは、案内環２の孔部１６に挿入されているため、先端部８ａの移動により、案内環２が先端部８ａに追従して第１回転方向に回転する。また、先端部８ａは、制限溝１１に挿入しているため、案内環２の光軸ＡＸ方向への移動は規制されている。案内環２の第１回転方向への回転により、案内溝１４、１５、１７が第１回転方向に回転する。案内溝１４、１５、１７の回転により、案内溝１４、１５、１７に挿入される動作ピン４、６、１０が、案内溝１４、１５、１７にガイドされて光軸ＡＸ方向に移動する。
【００５０】
案内溝１４と案内溝１５とは、傾きが逆方向に設定されている。そのため、動作ピン４、６の移動により、前側レンズ保持部材３と後側レンズ保持部材５とが光軸ＡＸ方向の反対方向に移動する。図１１に示す場合、動作ピン４により前側レンズ保持部材３が光軸ＡＸ方向の前方（＋Ｙ方向）に移動し、後側レンズ保持部材５が光軸ＡＸ方向の後方（−Ｙ方向）に移動する。
【００５１】
前側レンズ保持部材３及び後側レンズ保持部材５の移動により、前側レンズ５４が光軸ＡＸ方向の前方（＋Ｙ方向）に移動し、後側レンズ５５が光軸ＡＸ方向の後方（−Ｙ方向）に移動する。これにより、対象物の像の倍率あるいは光学系ＯＳの倍率が変更される。また、動作ピン１０の移動により、目当て環９が光軸ＡＸ方向の後方（−Ｙ方向）に移動する。目当て環９の移動とともに目当て１８（すなわち目当て部材６０）が光軸ＡＸ方向の後方（−Ｙ方向）に移動する。なお、図１１に示す状態は、上記した図２に示す状態に相当する。なお、操作リング７は、ズーム連動ピン８の先端部８ａが制限溝１１のエンド部（図１１の上側）に接触するまで回転させることができる。
【００５２】
また、図１０に示す状態から、例えば操作リング７を光軸ＡＸまわりにおいて第１回転方向とは反対の方向である第２回転方向に回転させることにより、図１２に示すように、ズーム連動ピン８の先端部８ａが制限溝１１に沿って図１１の下方向に移動する。先端部８ａは、案内環２の孔部１６に挿入されているため、先端部８ａの移動により、案内環２が先端部８ａに追従して第２回転方向に回転する。案内環２の回転により、案内溝１４、１５、１７が第２回転方向に回転する。案内溝１４、１５、１７の回転により、案内溝１４、１５、１７に挿入される動作ピン４、６、１０が、案内溝１４、１５、１７にガイドされて光軸ＡＸ方向に移動する。図１２に示す場合、前側レンズ保持部材３が光軸ＡＸ方向の後方（−Ｙ方向）に移動し、後側レンズ保持部材５が光軸ＡＸ方向の前方（＋Ｙ方向）に移動する。
【００５３】
前側レンズ保持部材３及び後側レンズ保持部材５の移動により、前側レンズ５４が光軸ＡＸ方向の後方（−Ｙ方向）に移動し、後側レンズ５５が光軸ＡＸ方向の前方（＋Ｙ方向）に移動する。これにより、対象物の像の倍率あるいは光学系ＯＳの倍率が変更される。また、動作ピン１０の移動により、目当て環９が光軸ＡＸ方向の後方（−Ｙ方向）に移動する。目当て環９の移動とともに目当て１８（すなわち目当て部材６０）が光軸ＡＸ方向の後方（−Ｙ方向）に移動する。本実施形態では、図１０に示す状態から図１１に示す状態、及び図１０に示す状態から図１２に示す状態のいずれであっても、目当て部材６０が光軸ＡＸ方向の後方（−Ｙ方向）に移動する。なお、図１２に示す状態は、上記した図１に示す状態に相当する。なお、操作リング７は、ズーム連動ピン８の先端部８ａが制限溝１１のエンド部（図１２の下側）に接触するまで回転させることができる。
【００５４】
このように、倍率変更機構３０により前側レンズ５４及び後側レンズ５５を光軸ＡＸ方向に移動させることで、対象物の像の倍率あるいは光学系ＯＳの倍率を変更するとともに、目当て駆動機構４０による目当て部材６０の光軸ＡＸ方向への移動が連動している。この構成により、使用者は倍率の変更に伴って目当て部材６０の位置の調整が不要となり、使い勝手が向上する。また、倍率変更機構３０は、操作リング７を光軸ＡＸまわりに回転させることにより、前側レンズ５４及び後側レンズ５５を光軸方向に移動させる第１回転直動変換部３１を有している。この第１回転直動変換部３１は、固定鏡筒１の制限溝１１、１２と、案内環２の案内溝１４、１５及び孔部１６と、前側レンズ保持部材３と、後側レンズ保持部材５と、動作ピン４、６と、ズーム連動ピン８とを含む。
【００５５】
また、目当て駆動機構４０は、上記のように、倍率変更機構３０により対象物の像の倍率あるいは光学系ＯＳの倍率を変更することに連動して、目当て部材６０を移動させる。目当て駆動機構４０は、操作リング７の回転により目当て１８を光軸ＡＸ方向に移動させる第２回転直動変換部４１を有している。この第２回転直動変換部４１は、固定鏡筒１の制限溝１３と、案内環２の案内溝１７と、目当て環９と、動作ピン１０とを含む。なお、第１回転直動変換部３１及び第２回転直動変換部４１は、上記した形態に限定されない。例えば、操作リング７（案内環２）の回転を前側レンズ保持部材３及び後側レンズ保持部材５、並びに目当て部材６０の光軸ＡＸ方向への移動に変換可能な任意の構成が適用可能である。
【００５６】
また、目当て駆動機構４０は、倍率変更機構３０で変更された倍率によるアイレリーフ長さに対応するように目当て部材６０（目当て環９及び目当て１８）を光軸ＡＸ方向に移動させる。例えば、案内環２に設けられる案内溝１７の形状は、倍率変更機構３０で変更された倍率によるアイレリーフ長さに対応して目当て環９が移動するように設定される。この構成により、目当て部材６０の位置が倍率の変更に合わせたアイレリーフ長さに調整されるので、使用者による利便性が向上する。
【００５７】
図１３（Ａ）から（Ｃ）は、目当て部材６０の目当て１８が目当て環９に対して光軸ＡＸ方向に移動する状態を示す図である。操作リング７が光軸ＡＸまわりに回転すると、その回転位置に応じて目当て部材６０が光軸ＡＸ方向の所定位置に配置される。この状態から目当て部材６０を光軸ＡＸ方向（Ｙ方向）に微調整することで、使用者の目に焦点位置を調整することが可能となる。目当て部材６０は、目当て環９のネジ部９ｂと目当て１８のネジ部１８ａとがねじ結合している（図９（Ｃ）、（Ｄ）参照）。従って、図１３（Ａ）に示すように、目当て１８を目当て環９に最もねじ込んだ状態から、目当て１８を目当て環９から取り外す方向に回転させることにより、図１３（Ｂ）に示すように、目当て１８を目当て環９に対して光軸ＡＸ方向の後方（−Ｙ方向）に移動させることができる。
【００５８】
また、さらに目当て１８を目当て環９から取り外す方向に回転させることにより、図１３（Ｃ）に示すように、目当て１８を目当て環９に対して光軸ＡＸ方向のさらに後方（−Ｙ方向）に移動させることができる。このように、目当て部材６０の位置は操作リング７の回転位置に応じて設定されるが、その位置から目当て１８をさらに光軸ＡＸ方向の後方（−Ｙ方向）に移動させることが可能となっている。この構成により、使用者は倍率に応じて設定された目当て１８の位置から微調整することができ、利便性をさらに向上させることができる。
【００５９】
以上のように、本実施形態に係る目当て構造１００は、倍率変更機構３０により対象物の像の倍率を変更することに連動して目当て部材６０を移動させる目当て駆動機構４０を有するので、対象物の像の倍率あるいは光学系ＯＳの倍率を変更することに連動して目当て部材６０が移動することにより、倍率の変更に応じて使用者が目当て部材６０の位置を調整することを不要とし、使用者の使い勝手を向上させることができる。
【００６０】
［第２実施形態］
第２実施形態に係る単眼鏡５０Ａ及び目当て構造１００Ａについて説明する。図１４は、第２実施形態に係る単眼鏡５０Ａ及び目当て構造１００Ａの一例を示す図である。なお、図１４において、上記した実施形態と同様の構成については同一の符号を付してその説明を省略又は簡略化する。図１４に示す単眼鏡５０Ａ（光学機器）は、上記した単眼鏡５０における正立プリズム５２を有しておらず、前側レンズ５４及び後側レンズ５５がリレーレンズとして配置されている。この単眼鏡５０Ａでは、固定レンズ５６により接眼レンズ５３が構成される。また、単眼鏡５０Ａは、光学系ＯＳにおいて対象物の像を正立させるための２箇所の焦点面５７、５８が設定される。単眼鏡５０Ａの他の構成については、上記した単眼鏡５０と同様である。
【００６１】
この単眼鏡５０Ａに備える目当て構造１００Ａは、上記した単眼鏡５０の目当て構造１００と同様に、倍率変更機構３０及び目当て駆動機構４０を備える。倍率変更機構３０は、リレーレンズである前側レンズ５４及び後側レンズ５５を光軸ＡＸ方向に移動させる。また、目当て駆動機構４０は、倍率変更機構３０により倍率を変更することに連動して目当て部材６０を移動させる。
【００６２】
このように、目当て構造１００Ａでは、倍率変更機構３０により対象物の像の倍率あるいは光学系ＯＳの倍率を変更することに連動して目当て部材６０を移動させる目当て駆動機構４０を有するので、上記した実施形態と同様に、倍率の変更に応じて使用者が目当て部材６０の位置を調整することを不要とし、使用者の使い勝手を向上させることができる。
【００６３】
［第３実施形態］
第３実施形態に係る双眼鏡８０について説明する。図１５は、第３実施形態に係る双眼鏡８０の一例を示す図である。双眼鏡８０の使用時において、上下方向はＺ方向であり、＋Ｚ方向が上方向、−Ｚ方向が下方向である。また、双眼鏡８０の使用時において、左右方向はＸ方向であり、左方向が−Ｘ方向、右方向が＋Ｘ方向である。図１５に示す双眼鏡８０は、倍率変更機能付きの双眼鏡である。双眼鏡８０は、右目用の本体部ＢＤＲ及び光学系ＯＳＲと、左眼用の本体部ＢＤＬ及び光学系ＯＳＬとを有する。右眼用の本体部ＢＤＲは、右眼用の目当て構造１００Ｒを有する。目当て構造１００Ｒは、上記した目当て構造１００と同様に、倍率変更機構３０及び目当て駆動機構４０として、固定鏡筒１Ｒと、案内環２Ｒと、前側レンズ保持部材３Ｒと、後側レンズ保持部材５Ｒと、操作リング７と、目当て部材６０Ｒ（目当て環９Ｒ及び目当て１８Ｒ）とを備えている。目当て構造１００Ｒを構成する各部は、それぞれ円筒状に形成される。
【００６４】
左眼用の本体部ＢＤＬは、左眼用の目当て構造１００Ｌを有する。目当て構造１００Ｌは、右眼用の目当て構造１００Ｒとほぼ同様の構成であるが、操作リング７を有しておらず、代わりに飾り環８３を有している。つまり、目当て構造１００Ｌは、倍率変更機構３０及び目当て駆動機構４０として、固定鏡筒１Ｌと、案内環２Ｌと、前側レンズ保持部材３Ｌと、後側レンズ保持部材５Ｌと、飾り環８３と、目当て部材６０Ｌ（目当て環９Ｌ及び目当て１８Ｌ）とを備えている。本体部ＢＤＬを構成する各部は、それぞれ円筒状に形成される。固定鏡筒１Ｒは、腕部８２Ｒを介して機軸８１に連結され、固定鏡筒１Ｌは、腕部８２Ｌを介して機軸８１に連結される。
【００６５】
図１６は、双眼鏡８０を光軸ＡＸＲ、ＡＸＬ方向から見た場合の一例を示す図である。図１７は、案内環２Ｌの斜視図及び光軸ＡＸＬ方向から見た図を示している。図１６及び図１７に示すように、案内環２Ｌは、外周面において光軸ＡＸＬまわりの周方向に段部２Ｌａが設けられ、この段部２Ｌａの一部に案内環２Ｌの内外を貫通するスリット２ＬＳを有する。また、案内環２Ｒは、案内環２Ｌと同様に、外周面において光軸ＡＸＬまわりの周方向に段部２Ｒａ（図１８参照）が設けられ、この段部２Ｒａの一部に案内環２Ｒの内外を貫通するスリット２ＲＳを有する。スリット２ＬＳには、接続部材７０の一端が固定される。また、スリット２ＲＳには、接続部材７０の他端が固定される。
【００６６】
接続部材７０は、線状又は帯状に形成された金属製の部材である。接続部材７０は、左右の固定鏡筒１Ｌ、１Ｒのそれぞれの案内環２Ｌ、２Ｒを互いに連結する。図１７に示すように、接続部材７０の一部は、案内環２Ｌの段部２Ｌａに沿って巻き付けられ、先端部分がスリット２ＬＳに挟まれて固定されている。同様に、接続部材７０の一部は、案内環２Ｒの段部２Ｒａに沿って巻き付けられ、先端部分がスリット２ＲＳに挟まれて固定されている。
【００６７】
図１８は、接続部材７０を介した案内環２Ｒ、２Ｌの動作を示す図である。図１８に示すように、接続部材７０は、操作リング７により案内環２Ｒが光軸ＡＸＲまわりの回転方向に回転する場合、端部がスリット２ＲＳに固定されていることから、案内環２Ｒの回転によって長手方向（接続部材７０が配置されている方向）に移動する。この接続部材７０の移動により、案内環２Ｌは、接続部材７０の端部をスリット２ＬＳで固定していることから、接続部材７０の端部で押されて又は引かれて、光軸ＡＸＬまわりに回転する。接続部材７０の弾性を考慮した場合でも、案内環２Ｒを回転させた場合、その回転量と同一又はほぼ同一の回転量が案内環２Ｌに伝達される。
【００６８】
接続部材７０は、右眼用の固定鏡筒１Ｒに設けられた操作リング７を回転させることにより、右眼用の固定鏡筒１Ｒに備える倍率変更機構３０による対象物の像の倍率あるいは光学系ＯＳＲの倍率と、左目用の目当て構造１００Ｌに備える倍率変更機構３０による対象物の像の倍率あるいは光学系ＯＳＬの倍率とを連動して変更する。また、操作リング７を回して対象物の像の倍率を変更する際、案内環２Ｒが光軸ＡＸＲまわりに回転することで、接続部材７０により案内環２Ｌも光軸ＡＸＬまわりに回転する。これにより、左右の固定鏡筒１Ｌ、１Ｒにおいて、左眼用の前側レンズ５４Ｌ及び後側レンズ５５Ｌと、右眼用の前側レンズ５４Ｒ及び後側レンズ５５Ｒとが連動して移動し、左右同時に倍率が変更される。また、倍率の変更に応じて（案内環２Ｒ、２Ｌの回転に応じて）、それぞれの目当て部材６０Ｒ、６０Ｌが光軸ＡＸＲ、ＡＸＬ方向に移動する。目当て部材６０Ｒ、６０Ｌが移動する構成は、上記した実施形態と同様である。
【００６９】
以上のように、本実施形態に係る双眼鏡８０によれば、左右の目当て構造１００Ｌ、１００Ｒにおいて、一方の目当て構造１００に備える操作リング７を操作することで、両側の倍率変更機構３０それぞれにおいて対象物の像の倍率あるいは光学系ＯＳＬ、ＯＳＲの倍率を同時又はほぼ同時に変更することができ、かつ、左右の目当て部材６０Ｒ、６０Ｌを倍率の変更に連動させて移動させることができる。
【００７０】
なお、上記した実施形態では、目当て構造１００Ｒに操作リング７が設けられているが、この構成に代えて、目当て構造１００Ｌに操作リング７が設けられてもよいし、目当て構造１００Ｌ、１００Ｒの双方に操作リング７が設けられてもよい。また、案内環２Ｌと案内環２Ｒとの間の回転の伝達を接続部材７０で行うことに限定されない。例えば、歯車列を用いて案内環２Ｌと案内環２Ｒとの回転の伝達を行ってもよい。
【００７１】
［第４実施形態］
第４実施形態に係る目当て構造１００Ｃについて説明する。上記した実施形態では、目当て駆動機構４０が、固定鏡筒１の制限溝１３と、案内環２の案内溝１７と、操作リング７と、ズーム連動ピン８と、目当て環９と、動作ピン１０とで構成される場合を例に挙げて説明したが、この形態に限定されない。図１９は、第４実施形態に係る目当て構造１００Ｃの一例を示す図である。図１９に示す目当て構造１００Ｃは、目当て駆動機構４０Ａを有する。目当て駆動機構４０Ａは、案内環２の回転量を検出するセンサ４１Ａと、センサ４１Ａの検出結果に基づいて目当て環９を光軸ＡＸ方向に移動させる目当て駆動部４２Ａとを有する。目当て駆動部４２Ａは、電動モータ等の駆動源と、駆動源で生じた駆動力を目当て環９に伝達する伝達機構とを有する。伝達機構としては、例えば、ボールねじ機構又はラックアンドピニオン機構などが用いられる。
【００７２】
この目当て構造１００Ｃによれば、使用者が操作リング７を回転させると、案内環２の回転量をセンサ４１Ａで検出し、センサ４１Ａの検出結果に応じて目当て駆動部４２Ａの駆動により目当て環９（目当て部材６０）を光軸ＡＸ方向に移動させることができる。なお、センサ４１Ａは、案内環２の回転量を検出することに代えて、例えば、前側レンズ保持部材３又は後側レンズ保持部材５の位置を検出してもよい。
【００７３】
［第５実施形態］
第５実施形態に係る目当て構造１００Ｄについて説明する。上記した実施形態では、倍率変更機構３０が固定鏡筒１の制限溝１１、１２と、案内環２の案内溝１４、１５及び孔部１６と、前側レンズ保持部材３と、後側レンズ保持部材５と、動作ピン４、６と、操作リング７と、ズーム連動ピン８とで構成される場合を例に挙げて説明したが、この形態に限定されない。図２０は、第５実施形態に係る目当て構造１００Ｄの一例を示す図である。図２０に示す目当て構造１００Ｄは、倍率変更機構３０Ｂを有する。なお、目当て駆動機構４０Ａは、図１９に示す構成と同様である。
【００７４】
倍率変更機構３０Ｂは、操作リング又はスイッチ、押しボタン等の操作部３１Ｂと、操作部３１Ｂの操作量又は操作方向などに基づいて前側レンズ保持部材３及び後側レンズ保持部材５を移動させるレンズ駆動部３２Ｂとを有する。レンズ駆動部３２Ｂは、例えば、電動モータ等の駆動源と、駆動源で生じた駆動力を前側レンズ保持部材３及び後側レンズ保持部材５に伝達する伝達機構とを有する。伝達機構としては、例えば、ボールねじ機構又はラックアンドピニオン機構などが用いられる。目当て駆動機構４０Ａは、例えば、レンズ駆動部３２Ｂのレンズ駆動信号に基づいて目当て駆動部４２Ａを駆動して、目当て環９（目当て部材６０）を光軸ＡＸ方向に移動させる。
【００７５】
この目当て構造１００Ｄによれば、使用者が操作部３１Ｂを操作すると、倍率変更機構３０Ｂにより対象物の像の倍率あるいは光学系ＯＳ（図２０では図示を省略している。）の倍率を変更することができ、この倍率の変更に連動して、目当て駆動部４１Ａの駆動により目当て環９（目当て部材６０）を光軸ＡＸ方向に移動させることができる。使用者は、対象物の像の倍率あるいは光学系ＯＳの倍率の変更と、目当て部材６０の移動とを電動で行うことができる。なお、目当て駆動機構４０Ａは、レンズ駆動部３２Ｂのレンズ駆動信号に基づいて駆動することに限定されず、例えば、前側レンズ保持部材３又は後側レンズ保持部材５の位置をセンサで検出し、このセンサの検出結果に応じて駆動する構成であってもよい。
【００７６】
［第６実施形態］
第６実施形態に係る顕微鏡９０について説明する。図２１は、第６実施形態に係る顕微鏡９０の一例を示す図である。図２１に示すように、顕微鏡９０は、鏡筒９１と、レボルバー９２と、目当て構造１００Ｅと、試料台９５とを備える。鏡筒９１は、光軸ＡＸに沿って設けられる。レボルバー９２は、複数の対物レンズ９２ａを有する。レボルバー９２を回転させることにより、複数の対物レンズ９２ａのうち１つを選択して光軸ＡＸ上に配置可能となる。複数の対物レンズ９２ａは倍率が異なっている。従って、レボルバー９２は、倍率変更機構である。
【００７７】
目当て構造１００Ｅは、目当て部材９３と目当て駆動機構９４とを有する。目当て駆動機構９４は、例えば、レボルバー９２の回転位置、又は光軸ＡＸに配置された対物レンズ９２ａを検出するセンサ等を有する。使用者がレボルバー９２を回転させ、１つの対物レンズ９２ａを光軸ＡＸ上に配置させた場合、その対物レンズ９２ａの倍率によるアイレリーフ長さに対応する位置に目当て部材９３を光軸ＡＸ方向に移動させる。目当て駆動機構９４は、例えば、電動モータ等の駆動源と、駆動源で生じた駆動力を目当て部材９３に伝達する伝達機構とを有する。伝達機構としては、例えば、ボールねじ機構又はラックアンドピニオン機構などが用いられる。試料台９５は、観察する対象物としての試料Ｓが載置される。
【００７８】
この顕微鏡９０によれば、使用者がレボルバー９２を回転させると、レボルバー９２の回転と連動して、目当て構造１００Ｅにより、対物レンズ９２ａの倍率によるアイレリーフ長さに対応する位置に目当て部材９３を光軸ＡＸ方向に移動させることができる。これにより、対物レンズ９２ａを変更したときに目当て部材９３の位置を使用者が調整しなくても済むため、使用者の使い勝手が向上する。
【００７９】
以上、本発明の実施形態について説明したが、本発明の技術範囲は、上記した実施形態に限定されない。また、上記した実施形態などで説明した要件の１つ以上は、省略されることがある。また、上記した実施形態などで説明した要件は、適宜組み合わせることができる。また、法令で許容される限りにおいて、本明細書において引用した全ての文献の開示を援用して本文の記載の一部とする。
【符号の説明】
【００８０】
ＢＤ、ＢＤＬ、ＢＤＲ・・・本体部、ＡＸ、ＡＸＬ、ＡＸＲ・・・光軸、ＯＳ、ＯＳＬ、ＯＳＲ・・・光学系、１、１Ａ、１Ｌ、１Ｒ・・・固定鏡筒、２、２Ｌ、２Ｒ・・・案内環、３、３Ｌ、３Ｒ・・・前側レンズ保持部材、４、６、１０・・・動作ピン、５、５Ｌ、５Ｒ・・・後側レンズ保持部材、７・・・操作リング、８・・・ズーム連動ピン、９、９Ｌ、９Ｒ・・・目当て環、１１、１１Ａ、１２、１３、１３Ａ・・・制限溝、１４、１５、１７・・・案内溝、１６・・・孔部、１８・・・目当て、３０、３０Ｂ・・・倍率変更機構、４０、４０Ａ、４０Ｂ、９４・・・目当て駆動機構、５０、５０Ａ・・・単眼鏡（光学機器）、５３、９３ａ・・・接眼レンズ、５４、５４Ｌ、５４Ｒ・・・前側レンズ、５５、５５Ｌ、５５Ｒ・・・後側レンズ、５６・・・固定レンズ、６０、６０Ｌ、６０Ｒ、９３・・・目当て部材、７０・・・接続部材、８０・・・双眼鏡（光学機器）、９０・・・顕微鏡（光学機器）、１００、１００Ａ、１００Ｂ、１００Ｃ、１００Ｄ、１００Ｅ・・・目当て構造
【図１】
2019150472.tif 000003
【図２】
2019150472.tif 000004
【図３】
2019150472.tif 000005
【図４】
2019150472.tif 000006
【図５】
2019150472.tif 000007
【図６】
2019150472.tif 000008
【図７】
2019150472.tif 000009
【図８】
2019150472.tif 000010
【図９】
2019150472.tif 000011
【図１０】
2019150472.tif 000012
【図１１】
2019150472.tif 000013
【図１２】
2019150472.tif 000014
【図１３】
2019150472.tif 000015
【図１４】
2019150472.tif 000016
【図１５】
2019150472.tif 000017
【図１６】
2019150472.tif 000018
【図１７】
2019150472.tif 000019
【図１８】
2019150472.tif 000020
【図１９】
2019150472.tif 000021
【図２０】
2019150472.tif 000022
【図２１】
2019150472.tif 000023
【手続補正書】
【提出日】令和2年11月16日(2020.11.16)
【手続補正１】
【補正対象書類名】特許請求の範囲
【補正対象項目名】全文
【補正方法】変更
【補正の内容】
【特許請求の範囲】
【請求項１】
対象物の像を形成する光学系と、
対象物の像の倍率を変更する倍率変更機構と、
前記光学系の光軸方向に沿って移動可能な目当て部材と、
前記倍率変更機構による対象物の像の倍率を変更することに連動して前記目当て部材を前記光軸方向に沿って移動させる目当て駆動機構と、
を有する光学機器。
【請求項２】
前記倍率変更機構は、前記光学系を移動させることにより対象物の像の倍率を変更する、
請求項１に記載の光学機器。
【請求項３】
前記光学系は、複数の光学レンズから構成され、
前記倍率変更機構は、前記複数の光学レンズの少なくとも１つを前記光軸方向に移動させることにより対象物の像の倍率を変更する、
請求項１又は請求項２に記載の光学機器。
【請求項４】
前記複数の光学レンズは、接眼レンズ及びリレーレンズの少なくとも１つを含んでいる、
請求項３に記載の光学機器。
【請求項５】
前記目当て駆動機構は、前記倍率変更機構で変更された倍率により定まるアイレリーフ長さに対応するように前記目当て部材を移動させる、
請求項１から請求項４のいずれか一項に記載の光学機器。
【請求項６】
前記倍率変更機構は、対象物の像の倍率を変更するために前記光学系の光軸まわりに回転動作が可能な操作部を有し、
前記目当て駆動機構は、前記操作部の回転動作を、前記目当て部材を前記光軸方向に移動させるための直線動作に変換する動作変換部を有する、
請求項５に記載の光学機器。
【請求項７】
前記倍率変更機構は、対象物の像の倍率を変更するために前記前記光学系の光軸まわりに回転動作が可能な操作部と、前記操作部が前記光軸まわりに回転することにより、前記複数の光学レンズの少なくとも１つを前記光軸方向に沿って移動させる第１回転・直動変換部と、を有し、
前記目当て駆動機構は、前記操作部の回転により前記目当て部材を前記光軸方向に移動させる第２回転・直動変換部を有する、
請求項５又は請求項６のいずれか一項に記載の光学機器。
【請求項８】
前記第１回転・直動変換部は、
前記光軸方向と平行に形成されている第１制限溝を備える固定鏡筒と、
前記固定鏡筒の内側に配置され、第１案内溝を備え、前記操作部とともに回転する案内環と、
前記案内環の内側に配置され、前記第１案内溝を貫通して前記第１制限溝に挿入される第１動作ピンを備え、前記光学レンズを保持する環状のレンズ保持部材と、を有し、
前記固定鏡筒に対する前記案内環の前記光軸まわりの回転により、前記第１動作ピンが前記第１案内溝及び前記第１制限溝にガイドされて前記レンズ保持部材を前記光軸方向に移動させる、
請求項７に記載の光学機器。
【請求項９】
前記第２回転・直動変換部は、
前記固定鏡筒に備えられ、前記光軸方向と平行に形成されている第２制限溝と、
前記案内環に備えられている第２案内溝と、
前記目当て部材に備えられ、前記第２制限溝を貫通して前記第２案内溝に挿入される第２動作ピンと、を有し、
前記固定鏡筒に対する前記案内環の回転により、前記第２動作ピンが前記第２案内溝及び前記第２制限溝にガイドされて前記目当て部材を前記光軸方向に沿って移動させる、
請求項８に記載の光学機器。
【請求項１０】
前記第１制限溝と前記第２制限溝とは、連続する１つの制限溝として前記固定鏡筒に形成されている、
請求項９に記載の光学機器。
【請求項１１】
前記第１案内溝と前記第２案内溝とは、互いに形状が異なる、
請求項９又は請求項１０に記載の光学機器。
【請求項１２】
前記第２案内溝は、前記光軸方向と垂直な方向に形成されている直線状の案内溝を含む、
請求項９から請求項１１のいずれか一項に記載の光学機器。
【請求項１３】
前記固定鏡筒における前記光軸まわりには、その周回方向に沿って第３制限溝が形成されており、
前記操作部は、前記第３制限溝を貫通して前記案内環に固定されている第３動作ピンを有し、
前記案内環は、前記第３動作ピンが前記第３制限溝にガイドされる範囲において、前記固定鏡筒に対して回転可能である、
請求項８から請求項１２のいずれか一項に記載の光学機器。
【請求項１４】
前記目当て部材は、前記光軸方向に沿って相対的に移動可能な、内側筒状体及び外側筒状体を備える、
請求項３から請求項１３のいずれか一項に記載の光学機器。
【請求項１５】
前記内側筒状体と前記外側筒状体とは、ネジ結合している、
請求項１４に記載の光学機器。
【請求項１６】
対象物の像を形成する光学系、前記光学系の移動により対象物の像の倍率を変更する倍率変更機構、目当て部材、及び、前記倍率変更機構による対象物の像の倍率を変更することに連動して前記目当て部材を移動させる目当て駆動機構をそれぞれ有する第１の鏡胴及び第２の鏡胴と、前記第１の鏡胴と前記第２の鏡胴とを接続する連結部と、を備え、
前記第１の鏡筒及び前記第２の鏡筒のそれぞれが有する前記倍率変更機構の少なくも一つは、対象物の像の倍率を変更するために前記光学系の光軸まわりに回転動作が可能な操作部を含み、
前記第１の鏡筒及び前記第２の鏡筒のそれぞれが有する前記倍率変更機構による対象物の像の倍率を変更する操作に連動して、前記第１の鏡筒及び前記第２の鏡筒のそれぞれが有する前記目当て部材を移動させる接続部材を有する、
双眼鏡。
【請求項１７】
前記接続部材は、前記第１の鏡筒及び前記第２の鏡筒のそれぞれが有する前記倍率変更機構に接続される、
請求項１６に記載の双眼境。
【請求項１８】
前記第１の鏡筒及び前記第２の鏡筒のそれぞれが有する前記倍率変更機構は、前記操作部が前記光軸まわりに回転することにより、前記光学系を前記光軸方向に沿って移動させる第１回転・直動変換部を有し、
前記第１の鏡筒及び前記第２の鏡筒のそれぞれが有する前記目当て駆動機構は、前記操作部の回転により前記目当て部材を前記光軸方向に移動させる第２回転・直動変換部を有し、
前記第１回転・直動変換部は、
固定鏡筒と、
前記固定鏡筒の内側に配置されて前記操作部とともに回転する案内環と、
前記光学系を保持し前記案内環の内側に配置される光学系保持部材と、を有し、
前記接続部材は、前記第１の鏡筒及び前記第２の鏡筒のそれぞれが有する前記案内環に接続され、
前記固定鏡筒に対する前記案内環の光軸方向まわりの回転により前記第１の鏡筒及び前記第２の鏡筒のそれぞれが有する前記光学系保持部材を前記光軸方向に移動さるとともに、前記第１の鏡筒及び前記第２の鏡筒のそれぞれが有する前記目当て部材を連動して前記光軸方向に移動させる、
請求項１６又は請求項１７に記載の双眼境。
【請求項１９】
前記接続部材は、紐状又は帯状に形成された金属製の部材であり、
前記接続部材は、前記第１の鏡筒及び前記第２の鏡筒のそれぞれが有する前記案内環の外周に沿って巻き付けられて固定される、請求項１８に記載の双眼鏡。
【請求項２０】
対象物の像を形成する光学系、目当て部材、及び、前記光学系の移動により対象物の像の倍率を変更することに連動して前記目当て部材を移動させる目当て駆動機構をそれぞれ備え、連結部を介して互いに接続されている第１の鏡筒と第２の鏡筒と、
前記第１の鏡筒及び前記第２の鏡筒との間に設けられ、対象物の像の倍率を変更するために前記光学系の光軸方向まわりに回転動作が可能な操作部を有する倍率変更機構と、
前記操作部による対象物の像の倍率を変更する操作に連動して前記第１の鏡筒及び前記第２の鏡筒のそれぞれが有する目当て部材を移動させる接続部材と、
を有する双眼鏡。
【請求項２１】
目当て部材と、
倍率変更機構により対象物の像の倍率を変更することに連動して前記目当て部材を移動させる目当て駆動機構と、
を有する目当て構造。
【請求項２２】
目当て部材と、
対象物の像の倍率の変更を行う倍率変更機構と、
前記倍率変更機構により対象物の像の倍率を変更することに連動して前記目当て部材を移動させる目当て駆動機構と、
を有する目当て構造。
【請求項２３】
目当て部材を移動させる方法であって、
対象物の像の倍率を変更することに連動して前記目当て部材を移動させることを含む、
目当て部材の移動方法。
【請求項２４】
目当て部材を移動させる方法であって、
光学系の倍率を変更することに連動して前記目当て部材を移動させることを含む、
目当て部材の移動方法。
【請求項２５】
対象物の像の倍率を指定するステップと、
指定された倍率に基づいて目当ての位置を決定するステップと、
決定された位置に目当てを移動させるステップと、
を含む目当て部材の移動方法。
【請求項２６】
対象物の像を形成する光学系と、
前記光学系を該光学系の光軸方向に沿って移動させて前記光学系の位置を変更する変更機構と、
目当て部材と、
前記変更機構による前記光学系の光軸方向の位置に連動して前記目当て部材を前記光軸方向に移動させる目当て駆動機構と、
を有する光学機器。
【手続補正２】
【補正対象書類名】明細書
【補正対象項目名】０００５
【補正方法】変更
【補正の内容】
【０００５】
本発明の第１の態様では、対象物の像を形成する光学系と、対象物の像の倍率を変更する倍率変更機構と、目当て部材と、倍率変更機構による対象物の像の倍率を変更することに連動して目当て部材を移動させる目当て駆動機構と、を有する光学機器が提供される。
【手続補正３】
【補正対象書類名】明細書
【補正対象項目名】０００６
【補正方法】変更
【補正の内容】
【０００６】
本発明の第２の態様では、対象物の像を形成する光学系、光学系の移動により対象物の像の倍率を変更する倍率変更機構、目当て部材、及び、倍率変更機構による対象物の像の倍率を変更することに連動して目当て部材を移動させる目当て駆動機構をそれぞれ有する第１の鏡胴及び第２の鏡胴と、前記第１の鏡胴と前記第２の鏡胴とを接続する連結部と、を備え、第１の鏡筒及び第２の鏡筒のそれぞれが有する倍率変更機構の少なくも一つは対象物の像の倍率を変更するために光軸方向まわりに回転動作が可能な操作部を含み、前記第１の鏡筒及び前記第２の鏡筒のそれぞれが有する前記倍率変更機構による対象物の像の倍率を変更する操作に連動して第１の鏡筒及び第２の鏡筒のそれぞれが有する目当て部材を移動させる接続部材を有する、双眼鏡が提供される。
【手続補正４】
【補正対象書類名】明細書
【補正対象項目名】０００７
【補正方法】変更
【補正の内容】
【０００７】
本発明の第３の態様では、対象物の像を形成する光学系、目当て部材、及び、光学系の移動により対象物の像の倍率を変更することに連動して目当て部材を移動させる目当て駆動機構と、をそれぞれ備え、連結部を介して互いに接続される第１の鏡筒と第２の鏡筒と、第１の鏡筒及び第２の鏡筒との間に設けられ、対象物の像の倍率を変更するために光学系の光軸方向まわりに回転動作が可能な操作部を有する倍率変更機構と、対象物の像の倍率を変更する操作に連動して第１の鏡筒及び第２の鏡筒のそれぞれが有する目当て部材を連動して移動させる接続部材と、を有する、双眼鏡が提供される。
【手続補正５】
【補正対象書類名】明細書
【補正対象項目名】００１２
【補正方法】変更
【補正の内容】
【００１２】
本発明の第８の態様では、対象物の像の倍率を指定するステップと、指定された倍率に基づいて目当ての位置を決定するステップと、決定された位置に目当てを移動させるステップとを含む、目当て部材の移動方法が提供される。
本発明の第９の態様では、対象物の像を形成する光学系と、前記光学系を該光学系の光軸方向に沿って移動させて前記光学系の位置を変更する変更機構と、目当て部材と、前記変更機構による前記光学系の光軸方向の位置に連動して前記目当て部材を前記光軸方向に移動させる前記目当て駆動機構と、を有する光学機器が提供される。
【国際調査報告】
2019150472.tif 000024
2019150472.tif 000025
2019150472.tif 000026
2019150472.tif 000027